(57)【要約】【課題】車両が正面から衝突した場合にも、ラジエータの後方に配置された高電圧部品が損傷されにくい車両用冷却装置を提供する。【解決手段】本発明は、車両(1)の車体前部に搭載される車両用冷却装置(10)であって、車体の前部に取り付けられ、車両用の冷却水を冷却するためのラジエータ(14)と、車体の前部であって、ラジエータに対し、車両の前後方向後ろ側に配置された、高電圧が作用している高電圧部品(8a)と、車両用の冷却油を冷却するために、車両の前後方向において、ラジエータと高電圧部品の間に配置されたオイルクーラー(18)と、を有することを特徴としている。【選択図】図１
2020180560.tif 000002
【特許請求の範囲】
【請求項１】
車両の車体前部に搭載される車両用冷却装置であって、
上記車体の前部に取り付けられ、車両用の冷却水を冷却するためのラジエータと、
上記車体の前部であって、上記ラジエータに対し、上記車両の前後方向後ろ側に配置された、高電圧が作用している高電圧部品と、
車両用の冷却油を冷却するために、上記車両の前後方向において、上記ラジエータと上記高電圧部品の間に配置されたオイルクーラーと、
を有することを特徴とする車両用冷却装置。
【請求項２】
上記車両の前面視において、上記オイルクーラーは、上記ラジエータと重なる位置に配置されている請求項１記載の車両用冷却装置。
【請求項３】
上記ラジエータ及び上記オイルクーラーは、それらの上端が上記車両の後方側に位置するように、後傾して配置されている請求項１又は２に記載の車両用冷却装置。
【請求項４】
上記車体の前部には内燃機関が配置されており、上記高電圧部品は、上記車両の前後方向において、上記オイルクーラーと上記内燃機関の間に配置されている請求項１乃至３の何れか１項に記載の車両用冷却装置。
【請求項５】
上記車両の前輪には、インホイールモータが夫々設けられており、上記高電圧部品は、上記インホイールモータに電力を供給するためのワイヤハーネスである請求項１乃至４の何れか１項に記載の車両用冷却装置。
【発明の詳細な説明】
【技術分野】
【０００１】
本発明は、車両用冷却装置に関し、特に、車両の車体前部に搭載される車両用冷却装置に関する。
【背景技術】
【０００２】
特開平４−２５５５２２号公報（特許文献１）には、車両の冷却装置が記載されている。この冷却装置では、エンジンを冷却するためのラジエータが車両前部の中央に配置されている。さらに、車両の変速機用オイルを冷却するための第１のオイルクーラーが、車両前部のタイヤハウスの前方に、エンジンオイルを冷却するための第２のオイルクーラーが、車両前部の、反対側のタイヤハウスの前方に配置されている。従って、特許文献１記載の冷却装置においては、車両前部の中央にラジエータが配置され、その両側に第１、第２のオイルクーラーが夫々配置されている。
【先行技術文献】
【特許文献】
【０００３】
【特許文献１】特開平４−２５５５２２号公報
【発明の概要】
【発明が解決しようとする課題】
【０００４】
近年、車両には、エンジンの他、モータや、それを駆動するためのバッテリ、駆動回路等、冷却を必要とする機器が数多く搭載されるようになり、大型のラジエータが車両に積載されることが多くなっている。このように、ラジエータが大型化すると、ラジエータを鉛直方向に立てて車両に搭載することが困難になる。特に、ボンネットが低いデザインの車両に大型のラジエータを搭載するためには、鉛直面に対してラジエータを傾斜させて収納する必要がある。
【０００５】
一方、車両前部に配置されたラジエータの後方には、高電圧部品が配置されており、万一車両が正面から衝突した場合に、脱落したラジエータが後方の高電圧部品を損傷してしまう虞がある。このため、車両の正面衝突時において、高電圧部品を保護する必要がある。この問題は、ラジエータを傾斜させた状態で車両に搭載した場合に、ラジエータ後方の高電圧部品とラジエータが干渉しやすく、高電圧部品の保護の必要性が高くなる。
従って、本発明は、車両が正面から衝突した場合にも、ラジエータの後方に配置された高電圧部品が損傷されにくい車両用冷却装置を提供することを目的としている。
【課題を解決するための手段】
【０００６】
上述した課題を解決するために、本発明は、車両の車体前部に搭載される車両用冷却装置であって、車体の前部に取り付けられ、車両用の冷却水を冷却するためのラジエータと、車体の前部であって、ラジエータに対し、車両の前後方向後ろ側に配置された、高電圧が作用している高電圧部品と、車両用の冷却油を冷却するために、車両の前後方向において、ラジエータと高電圧部品の間に配置されたオイルクーラーと、を有することを特徴としている。
【０００７】
このように構成された本発明によれば、車両用の冷却油を冷却するオイルクーラーが、車両の前後方向において、ラジエータと高電圧部品の間に配置されている。このため、車両が正面から衝突した場合に、取り付け位置から脱落したラジエータが、後方に配置された高電圧部品に直接干渉するのを抑制することができる。これにより、衝突のエネルギーは、脱落したラジエータがオイルクーラーに干渉する際に消費され、オイルクーラーの後方に配置された高電圧部品に過大な衝撃力が加わるのを防止することができる。
【０００８】
本発明において、好ましくは、車両の前面視において、オイルクーラーは、ラジエータと重なる位置に配置されている。
このように構成された本発明によれば、オイルクーラーが、車両の前面視においてラジエータと重なる位置に配置されているので、車両が正面から衝突した際の衝撃を、オイルクーラーにより確実に緩和することができる。
【０００９】
本発明において、好ましくは、ラジエータ及びオイルクーラーは、それらの上端が車両の後方側に位置するように、後傾して配置されている。
このように構成された本発明によれば、ラジエータ及びオイルクーラーが後傾して配置されているので、オイルクーラーをラジエータの後方にコンパクトに収納することが可能となる。また、ラジエータが傾斜して配置されていても、その後方にオイルクーラーが配置されているので、正面衝突時においても高電圧部品が損傷される可能性を抑制することができる。
【００１０】
本発明において、好ましくは、車体の前部には内燃機関が配置されており、高電圧部品は、車両の前後方向において、オイルクーラーと内燃機関の間に配置されている。
【００１１】
高電圧部品が剛性の高い内燃機関の前側に配置されている場合には、車両の正面衝突時において、高電圧部品はラジエータと内燃機関の間に挟まれて損傷を受けやすい。上記のように構成された本発明によれば、ラジエータと高電圧部品の間にオイルクーラーが配置されているので、車両の正面衝突によりラジエータが脱落した場合にも、オイルクーラーによって衝撃が吸収され、高電圧部品が損傷される可能性を抑制することができる。
【００１２】
本発明において、好ましくは、車両の前輪には、インホイールモータが夫々設けられており、高電圧部品は、インホイールモータに電力を供給するためのワイヤハーネスである。
【００１３】
車両の前輪にインホイールモータが設けられている場合、このインホイールモータに電力を供給するために、比較的高電圧が作用しているワイヤハーネスをラジエータの近傍に配索する必要がある。上記のように構成された本発明によれば、ラジエータと高電圧部品であるワイヤハーネスの間にオイルクーラーが配置されているので、車両の正面衝突によりラジエータが脱落した場合にも、オイルクーラーによって衝撃が吸収され、ワイヤハーネスが損傷される可能性を抑制することができる。
【発明の効果】
【００１４】
本発明の車両用冷却装置によれば、車両が正面から衝突した場合にも、ラジエータの後方に配置された高電圧部品を損傷されにくくすることができる。
【図面の簡単な説明】
【００１５】
【図１】本発明の実施形態による車両用冷却装置を搭載した車両の前部を示す側面図である。
【図２】本発明の実施形態による車両用冷却装置を搭載した車両の前部を斜め下方から見た斜視図である。
【図３】本発明の実施形態による車両用冷却装置を搭載した車両の前部を示す下面図である。
【図４】本発明の実施形態による車両用冷却装置を車両の斜め後方側から見た斜視図である。
【図５】本発明の実施形態による車両用冷却装置を車両の前方側から見た斜視図である。
【図６】本発明の実施形態の車両用冷却装置の組み付けにおいて、冷却アセンブリの投影長さを、車体の取り付け部の長さと比較して示す図である。
【図７】本発明の実施形態による冷却装置を組み付ける方法の手順を示すフローチャートである。
【図８】本発明の実施形態による冷却装置を組み付ける方法において、冷却装置を車体に取り付ける手順を示す図である。
【図９】本発明の実施形態による冷却装置を組み付ける方法において、冷却装置を車体に取り付ける手順を示す図である。
【図１０】本発明の実施形態による冷却装置を組み付ける方法において、冷却装置を車体に取り付ける手順を示す図である。
【発明を実施するための形態】
【００１６】
次に、添付図面を参照して、本発明の実施形態による車両用冷却装置を説明する。
図１は、本発明の実施形態による車両用冷却装置を搭載した車両の前部を示す側面図である。図２は、本発明の実施形態による車両用冷却装置を搭載した車両の前部を斜め下方から見た斜視図である。図３は、本発明の実施形態による車両用冷却装置を搭載した車両の前部を示す下面図である。
【００１７】
図１乃至図３に示すように、車両１の前部には、ボンネット１ａの下側に内燃機関２、及び内燃機関２の後ろ側に配置された駆動用モータ４が搭載されている。これら内燃機関２及び駆動用モータ４の動力は、車両１の車幅方向中央を前後方向に延びるプロペラシャフト４ａによって後輪（図示せず）に伝達される。また、車両１の各前輪６にはインホイールモータ８が夫々搭載されており、各前輪６を駆動するようになっている。また、各インホイールモータ８には、これを駆動するための電力を供給する高電圧部品であるワイヤハーネス８ａが接続されている。なお、本明細書において、車両１の前部とは、車両１の運転席よりも前側の部分を意味している。
【００１８】
また、本明細書において、高電圧部品とは、高電圧が作用している電機部品を意味し、高電圧とは、一般に高い絶縁性が要求される４８Ｖ以上の電圧を意味するものとする。車両に搭載される高電圧部品としては、ワイヤハーネスの他、バッテリ、インバータ、ＤＣ／ＤＣコンバータ、キャパシタ等が挙げられる。
【００１９】
さらに、車両１のボンネット１ａの下側には、車両用冷却装置である冷却アセンブリ１０が搭載されている。この冷却アセンブリ１０は、車両１前部の内燃機関２よりも前方、さらに、内燃機関２よりも前方に位置するインホイールモータ８よりも前方に配置されている。本実施形態においては、図１に示すように、冷却アセンブリ１０のラジエータ１４（図４）を後方に傾斜させて取り付けることにより、冷却アセンブリ１０をボンネット１ａの下側に収容することが可能になっている。
【００２０】
また、車両１の車体前部は、車両１下部で車幅方向に延びる第１クロスメンバ１２ａ、及びこの第１クロスメンバ１２ａよりも前方、且つ車両１下部で車幅方向に延びる第２クロスメンバ１２ｂ、車両下部の両側で車両の前後方向に延びるサイドメンバ１２ｃ等により構成されている。冷却アセンブリ１０は、これら第１、第２クロスメンバの上方に取り付けられる。さらに、後述するように、冷却アセンブリ１０は、車両１の組み立て時において、第１クロスメンバ１２ａ、第２クロスメンバ１２ｂ、及びサイドメンバ１２ｃによって囲まれた領域を通って、車両１の下方から車体の中に収容される。
【００２１】
次に、図４及び図５を参照して、冷却アセンブリ１０の構成を説明する。
図４は、冷却アセンブリ１０を車両の斜め後方側から見た斜視図である。図５は、冷却アセンブリ１０を車両の前方側から見た斜視図である。
【００２２】
図４に示すように、冷却アセンブリ１０は、ラジエータ１４と、ラジエータ１４の背面側に取り付けられたファン１６と、ファン１６の背面側に配置されたオイルクーラー１８と、を有する。これら、ラジエータ１４、ファン１６、及びオイルクーラー１８は、一体化されて組立体を構成している。さらに、ラジエータ１４の両側の側面には、一体化されたラジエータ１４等を車両１の車体上に支持するためのサポート部材２０が夫々取り付けられている。
【００２３】
図１に示すように、冷却アセンブリ１０は、インホイールモータ８よりも車両の前方に位置している。このため、オイルクーラー１８は、ラジエータ１４と、高電圧部品であるワイヤハーネス８ａとの間に配置されることとなる。これにより、車両１が正面から衝突して、ラジエータ１４がサポート部材２０から外れた場合でも、高電圧が作用しているワイヤハーネス８ａとラジエータ１４の間にはオイルクーラー１８が配置されており、ワイヤハーネス８ａが衝撃から保護される。また、ワイヤハーネス８ａの後方には内燃機関２が配置されているので、ワイヤハーネス８ａは、オイルクーラー１８と内燃機関２の間に配置されることとなる。
【００２４】
図４及び図５に示すように、ラジエータ１４は、全体として長方形の平板状に形成されており、その板面が後方に向けて傾斜するように、車両１の車体に取り付けられる。また、本実施形態においては、ラジエータ１４は、その両側の縁に沿ってラジエータタンク１４ａが設けられ、両側のラジエータタンク１４ａの間にラジエータコア１４ｂが設けられている。本実施形態において、ラジエータ１４は、内燃機関２の冷却水を、外気により冷却するように構成されている。
【００２５】
図４に示すように、ファン１６は、ラジエータ１４の背面側に、ラジエータ１４と平行に固定されており、フレーム１６ａと、プロペラ１６ｂから構成されている。プロペラ１６ｂは、ラジエータコア１４ｂの幅と略同一の直径に構成されており、ラジエータ１４の板面に直交する方向に向けられた回転軸（図示せず）により駆動される。フレーム１６ａは、ラジエータコア１４ｂの裏側に固定され、プロペラ１６ｂの回転軸を支持している。プロペラ１６ｂを回転させることにより、ラジエータコア１４ｂを通って空気が流れ、ラジエータコア１４ｂ内の冷却水が冷却される。
【００２６】
図４に示すように、オイルクーラー１８は、ラジエータ１４よりも小さい長方形の平板状に形成されており、その板面が後方に向けて傾斜するように、ファン１６の背面側に取り付けられている。このオイルクーラー１８の両側上端には、オイルクーラー１８に冷却油を流入させる流入管１８ａと、オイルクーラー１８で冷却された冷却油を流出させる流出管１８ｂが夫々接続されている。また、図５に示すように、オイルクーラー１８は、車両１の前面視において、ラジエータ１４と重なる位置に配置されている。
【００２７】
本実施形態において、オイルクーラー１８は、駆動用モータ４や、駆動用モータ４を駆動するためのバッテリ（図示せず）等を冷却する冷却油を冷却するように構成されている。また、オイルクーラー１８は、その上辺に取り付けられた上側オイルクーラーブラケット１８ｃ、及び下辺に取り付けられた下側オイルクーラーブラケット１８ｄを介して、サポート部材２０に取り付けられている。
【００２８】
図４に示すように、サポート部材２０は、略Ｌ字形に屈曲された部材であり、冷却アセンブリ１０を車体の第１クロスメンバ１２ａに対して固定するために、ラジエータ１４の両側に夫々取り付けられている。具体的には、サポート部材２０は、９０度よりも小さい鋭角に屈曲された円管状の部材から構成されており、その長い方の辺がラジエータ１４の両側の辺に沿うように固定される。また、サポート部材２０の短い方の辺は、冷却アセンブリ１０が車体固定された状態では、概ね水平方向に向けられる。これにより、ラジエータ１４及びオイルクーラー１８は、それらの板面が後方に向かって傾斜するように、車体に取り付けられる。換言すれば、ラジエータ１４及びオイルクーラー１８は、それらの上端が下端よりも車両１の後方側に位置するように、後傾して配置されている。
【００２９】
さらに、図２に示すように、各サポート部材２０は、屈曲部付近が連結ビーム２２によって互いに連結されている。具体的には、この連結ビーム２２は車幅方向に延び、各サポート部材２０に取り付けられた下側オイルクーラーブラケット１８ｄを介してサポート部材２０に取り付けられ、両側のサポート部材２０を連結している。この連結ビーム２２は、各サポート部材２０の短辺の、屈曲部の近傍に取り付けられている。
【００３０】
また、図４に示すように、各サポート部材２０の長辺は、上側ブラケット２０ａ、下側ブラケット２０ｂを介して、ラジエータ１４両側のラジエータタンク１４ａに固定されている。ラジエータタンク１４ａは、冷却アセンブリ１０の車幅方向両端に位置するので、冷却アセンブリ１０は、その両端部でサポート部材２０によって支持されることとなる。さらに、各サポート部材２０の短辺の先端には、支持部２０ｃが夫々設けられており、これら支持部２０ｃは、車体の一部を構成する第１クロスメンバ１２ａに対して回動可能に取り付けることができるように構成されている。
【００３１】
また、図３に示すように、各サポート部材２０の短辺は、車両１の前方に向けて間隔が広くなるように向けられている。換言すれば、各サポート部材２０の支持部２０ｃと第１クロスメンバ１２ａとを連結している第１連結点Ｐ１の車幅方向間隔Ｘ１は、各サポート部材２０とラジエータ１４を連結している第２連結点Ｐ２の車幅方向間隔Ｘ２よりも狭く構成されている。
【００３２】
冷却アセンブリ１０は、上記のように形成されているため、万一車両１が正面衝突した場合には、まず、車両１の前部に配置されたラジエータ１４に衝撃力が加わり、ラジエータ１４が変形されることで衝撃エネルギーが吸収される。さらに衝撃力が大きい場合には、ラジエータ１４とサポート部材２０を連結する上側ブラケット２０ａ及び下側ブラケット２０ｂが破断し、又はそれらの連結が外れることにより、衝撃エネルギーが吸収される。この際、後傾して配置されているラジエータ１４の下端に衝撃力が作用して下側ブラケット２０ｂが外れ、ラジエータ１４の下部が後退する。さらに衝撃力が大きい場合には、上側ブラケット２０ａも外れ、ラジエータ１４全体が後退する。
【００３３】
ラジエータ１４がサポート部材２０から脱落し、ラジエータ１４全体が後退した場合でも、ラジエータ１４の後方にはオイルクーラー１８が取り付けられているため、ラジエータ１４の後退がオイルクーラー１８によって阻止される。これにより、オイルクーラー１８の後方に配置されている高電圧部品であるワイヤハーネス８ａの損傷が抑制される。また、オイルクーラー１８支持している上側オイルクーラーブラケット１８ｃ、下側オイルクーラーブラケット１８ｄが破断し、又はそれらの連結が外れた場合にも、この破断等により衝撃力が吸収され、ワイヤハーネス８ａが保護される。
【００３４】
さらに、上記のように、各サポート部材２０の短辺は、車両１の前方に向けて間隔が広くなるように向けられている。このため、車両１の正面衝突により下側ブラケット２０ｂが外れ、ラジエータ１４の下部が後退し始めた場合でも、サポート部材２０がラジエータ１４の後退に抵抗して、ラジエータ１４の後退が抑制される。また、両側のサポート部材２０は、連結ビーム２２によって連結されているので、衝突によりサポート部材２０の間隔が広がり、その間にラジエータ１４が後退してしまうのを抑制することができる。
【００３５】
次に、図６乃至図１０を参照して、本発明の実施形態による冷却装置を組み付ける方法を説明する。
図６は、冷却アセンブリの投影長さを、車体の取り付け部の長さと比較して示す図である。図７は、本発明の実施形態による冷却装置を組み付ける方法の手順を示すフローチャートである。図８乃至図１０は、冷却アセンブリを車体に取り付ける手順を示す図である。
【００３６】
上述したように、本実施形態においては、冷却アセンブリ１０は後方に傾斜した状態で車体に取り付けられる。図６に示すように、冷却アセンブリ１０を車体に取り付けた際の姿勢と同一の姿勢に配置した状態で、鉛直方向に投影したときの、車両前後方向の長さＬ１は、第１クロスメンバ１２ａと第２クロスメンバ１２ｂの間の距離Ｌ２よりも長い。このため、冷却アセンブリ１０を車体への取り付け後の姿勢と同一の姿勢にしてパレット２４に載置すると、冷却アセンブリ１０を、第１クロスメンバ１２ａと第２クロスメンバ１２ｂの間に通すことができず、冷却アセンブリ１０を車体に収容することができない。このため、図７に示す組み付け手順に従って、冷却アセンブリ１０を車体へ組み付ける必要がある。
【００３７】
まず、図７のステップＳ１においては、準備ステップとして、ラジエータ１４を組み付けるべき車体と、冷却アセンブリ１０を準備する。図８に示すように、この際、車体１３は半完成状態で良く、冷却アセンブリ１０をマウントすることができるよう、第１クロスメンバ１２ａ、第２クロスメンバ１２ｂ、固定メンバ１２ｄ等が組み上げられた状態であれば良い。一方、冷却アセンブリ１０は、ラジエータ１４、ファン１６、オイルクーラー１８等がサポート部材２０によって一体化された状態で準備される。また、冷却アセンブリ１０は、ラジエータ１４の板面が概ね鉛直方向に向けられた状態でパレット２４上に載置された状態で準備される。この状態においては、冷却アセンブリ１０を鉛直方向に投影したときの、車両前後方向の長さＬ３は、第１クロスメンバ１２ａと第２クロスメンバ１２ｂの間の距離Ｌ２よりも短くなる。
【００３８】
次に、図７のステップＳ２においては、収容ステップとして、パレット２４を上昇させることにより、冷却アセンブリ１０を、車体１３の下方から、第１クロスメンバ１２ａと第２クロスメンバ１２ｂの間を通って車体の中に収容する。即ち、図８に示す状態では、冷却アセンブリ１０の鉛直方向の投影長さは、第１、第２クロスメンバ間の距離Ｌ２よりも短いため、パレット２４を上昇させると、冷却アセンブリ１０は第１クロスメンバ１２ａと第２クロスメンバ１２ｂの間を通って車体１３の中に収容される。
【００３９】
さらに、パレット２４を適所まで上昇させると、図９に示すように、各サポート部材２０の短辺側の先端に設けられた支持部２０ｃのボルト穴と、第１クロスメンバ１２ａに取り付けられた支持ブラケット２６のボルト穴が整合する。この状態で、支持部２０ｃ及び支持ブラケット２６に夫々設けられたボルト穴にボルト２６ａを通し、これらを締結する。これにより、冷却アセンブリ１０の各支持部２０ｃは、車体１３に対して回動可能に取り付けられる。
【００４０】
さらに、図７のステップＳ３においては、回動ステップとして、冷却アセンブリ１０の上端が車体１３の後方へ移動されるように、車体１３の中に収容された冷却アセンブリ１０を、サポート部材２０の支持部２０ｃを中心に後方へ向けて回動させる。具体的には、冷却アセンブリ１０は、支持部２０ｃと支持ブラケット２６の各ボルト穴に通されたボルト２６ａを中心軸として後方に回動される。ここで、図９に示す状態において、冷却アセンブリ１０の重心は中心軸（ボルト２６ａ）よりも前側にあるため、重力により、冷却アセンブリ１０を前方側に回動させる力が作用している。このため、重力により冷却アセンブリ１０が後方に向けて偶発的に回動され、冷却アセンブリ１０が損傷されるのを防止することができる。
【００４１】
冷却アセンブリ１０を所定位置まで後方に回動させると、冷却アセンブリ１０のラジエータ１４が所定角度後傾し、冷却アセンブリ１０は車体への搭載後の姿勢となる。この状態では、図１０に示すように、オイルクーラー１８をサポート部材２０に連結している上側オイルクーラーブラケット１８ｃの係合部１８ｅ（図４）が、車体１３の固定メンバ１２ｄと当接する。
【００４２】
次いで、図７のステップＳ４においては、固定ステップとして、冷却アセンブリ１０を、車体１３の固定メンバ１２ｄに固定する。具体的には、当接している上側オイルクーラーブラケット１８ｃの係合部１８ｅと、車体１３の固定メンバ１２ｄをボルト２８で締結して、冷却アセンブリ１０を車体１３に固定する。さらに、サポート部材２０の支持部２０ｃと支持ブラケット２６を締結しているボルト２６ａを増し締めし、冷却アセンブリ１０の車体への組み付けを終了する。
【００４３】
本発明の実施形態の車両用冷却装置によれば、車両用の冷却油を冷却するオイルクーラー１８が、車両１の前後方向において、ラジエータ１４と高電圧部品であるワイヤハーネス８ａの間に配置されている（図１）。このため、車両１が正面から衝突した場合に、取り付け位置から脱落したラジエータ１４が、後方に配置されたワイヤハーネス８ａに直接干渉するのを抑制することができる。これにより、衝突のエネルギーは、脱落したラジエータ１４がオイルクーラー１８に干渉する際に消費され、オイルクーラー１８の後方に配置されたワイヤハーネス８ａに過大な衝撃力が加わるのを防止することができる。
【００４４】
また、本実施形態の車両用冷却装置によれば、オイルクーラー１８が、車両１の前面視においてラジエータ１４と重なる位置に配置されている（図５）ので、車両１が正面から衝突した際の衝撃を、オイルクーラー１８により確実に緩和することができる。
【００４５】
さらに、本実施形態の車両用冷却装置によれば、ラジエータ１４及びオイルクーラー１８が後傾して配置されている（図１）ので、オイルクーラー１８をラジエータ１４の後方にコンパクトに収納することが可能となる。また、ラジエータ１４が傾斜して配置されていても、その後方にオイルクーラー１８が配置されているので、正面衝突時においてもワイヤハーネス８ａが損傷される可能性を抑制することができる。
【００４６】
また、本実施形態の車両用冷却装置によれば、ラジエータ１４とワイヤハーネス８ａの間にオイルクーラー１８が配置されているので、車両１の正面衝突によりラジエータ１４が脱落した場合にも、オイルクーラー１８によって衝撃が吸収され、ワイヤハーネス８ａがラジエータ１４と内燃機関２の間に挟まれて損傷される可能性を抑制することができる。
【００４７】
さらに、本実施形態の車両用冷却装置によれば、ラジエータ１４とワイヤハーネス８ａの間にオイルクーラー１８が配置されているので、車両の正面衝突によりラジエータ１４が脱落した場合にも、オイルクーラー１８によって衝撃が吸収され、インホイールモータ８に電力を供給するためのワイヤハーネス８ａが損傷される可能性を抑制することができる。
【００４８】
以上、本発明の好ましい実施形態を説明したが、上述した実施形態に種々の変更を加えることができる。特に、上述した実施形態においては、車両用冷却装置は、内燃機関、駆動用モータ、及びインホイールモータが搭載された車両に搭載されていたが、任意の駆動方式を有する車両に本発明を適用することができる。また、上述した実施形態においては、ラジエータよりも後ろ側に配置された高電圧部品として、ワイヤハーネスが備えられていたが、ワイヤハーネス以外の高電圧部品を保護するために本発明を適用することもできる。さらに、上述した実施形態の車両用冷却装置においては、ラジエータと、ファン及びオイルクーラーがサポート部材により一体化されていたが、サポート部材及びファンは備えられていなくても良く、また、ファン及びオイルクーラーは、一体化されていなくても良い。
【符号の説明】
【００４９】
１    車両
１ａ  ボンネット
２    内燃機関
４    駆動用モータ
４ａ  プロペラシャフト
６    前輪
８    インホイールモータ
８ａ  ワイヤハーネス（高電圧部品）
１０    冷却アセンブリ（車両用冷却装置）
１２ａ  第１クロスメンバ
１２ｂ  第２クロスメンバ
１２ｃ  サイドメンバ
１２ｄ  固定メンバ
１３    車体
１４    ラジエータ
１４ａ  ラジエータタンク
１４ｂ  ラジエータコア
１６    ファン
１６ａ  フレーム
１６ｂ  プロペラ
１８    オイルクーラー
１８ａ  流入管
１８ｂ  流出管
１８ｃ  上側オイルクーラーブラケット
１８ｄ  下側オイルクーラーブラケット
１８ｅ  係合部
２０    サポート部材
２０ａ  上側ブラケット
２０ｂ  下側ブラケット
２０ｃ  支持部
２２    連結ビーム
２４    パレット
２６    支持ブラケット
２６ａ  ボルト
２８    ボルト
【図１】
2020180560.tif 000003
【図２】
2020180560.tif 000004
【図３】
2020180560.tif 000005
【図４】
2020180560.tif 000006
【図５】
2020180560.tif 000007
【図６】
2020180560.tif 000008
【図７】
2020180560.tif 000009
【図８】
2020180560.tif 000010
【図９】
2020180560.tif 000011
【図１０】
2020180560.tif 000012